(57)【要約】【課題】測定器にて消費される電力を抑制し、省電力化を図ることができる測定器および測定システムの提供。【解決手段】測定システム１は、接続手段４を介して外部機器３と接続される測定器２を備える。測定器２は、測定器２を制御する制御手段２０を備える。制御手段２０は、計数動作を制御する通常制御部２１と、外部機器３と接続されることで不要となった測定器２の機能を停止させる省電力モードを有する省電力制御部２２と、所定の契機に基づき省電力モードを実行するか否かを判定する判定部２３と、を備える。省電力制御部２２は、判定部２３により省電力モードを実行すると判定された場合、省電力モードを実行する。【選択図】図２
2019168361.tif 000002
【特許請求の範囲】
【請求項１】
接続手段を介して外部機器と接続される測定器であって、
前記測定器を制御する制御手段を備え、
前記制御手段は、
計数動作を制御する通常制御部と、
前記外部機器と接続されることで不要となった前記測定器の機能を停止させる省電力モードを有する省電力制御部と、
所定の契機に基づき前記省電力モードを実行するか否かを判定する判定部と、を備え、
前記省電力制御部は、
前記判定部により前記省電力モードを実行すると判定された場合、前記省電力モードを実行することを特徴とする測定器。
【請求項２】
請求項１に記載された測定器において、
前記外部機器は、計数結果の出力を要求する出力要求部を備え、
前記通常制御部は、
計数動作を実行する計数実行部と、
前記出力要求部の要求に応じて前記外部機器へ計数結果を出力する計数出力部と、を備え、
前記省電力制御部は、
前記計数実行部を停止させる前記省電力モードであるスリープモードを実行するスリープ実行部を備え、
前記スリープ実行部は、
前記判定部により前記スリープモードを実行すると判定された場合、前記スリープモードを実行するとともに、前記出力要求部から計数結果の出力の要求があった場合、前記スリープモードを解除して前記計数実行部に計数動作を実行させることを特徴とする測定器。
【請求項３】
請求項１または請求項２に記載された測定器において、
計数結果を表示する表示手段を備え、
前記省電力制御部は、
前記表示手段の表示を停止させる前記省電力モードである非表示モードを実行する非表示実行部を備え、
前記非表示実行部は、
前記判定部により前記非表示モードを実行すると判定された場合、前記非表示モードを実行することを特徴とする測定器。
【請求項４】
請求項１から請求項３のいずれかに記載された測定器において、
前記測定器および前記外部機器の少なくとも一方は、使用者からの入力を受け付ける入力部を備え、
前記判定部は、
前記入力部からの入力に基づいて前記省電力モードを実行するか否かを判定する入力判定部を備えることを特徴とする測定器。
【請求項５】
請求項２から請求項４のいずれかに記載された測定器において、
前記判定部は、
前記外部機器における前記出力要求部からの出力要求に基づいて前記省電力モードを実行するか否かを判定する出力要求判定部を備えることを特徴とする測定器。
【請求項６】
請求項１から請求項５のいずれかに記載された測定器において、
前記判定部は、
前記測定器に前記外部機器が接続されたか否かを判定する接続判定部を備え、
前記接続判定部は、
前記測定器に前記外部機器が接続されたと判定した場合、前記省電力制御部に前記省電力モードを実行させることを特徴とする測定器。
【請求項７】
請求項１から請求項６のいずれかの測定器と、
前記測定器と接続される外部機器と、
前記測定器と前記外部機器とを接続する接続手段と、を備えることを特徴とする測定システム。
【発明の詳細な説明】
【技術分野】
【０００１】
本発明は、測定器および測定システムに関する。
【背景技術】
【０００２】
従来、接続手段を介して外部機器と接続される測定器に関する測定システムが知られている。測定システムにおける測定器は、例えばダイヤルゲージやノギス、インジケータ、リニアスケール、マイクロメータ等である。
このような測定システムでは、例えば特許文献１に記載の変位検出測定機の状態表示システム（測定システム）は、電池にて駆動するとともに測定データ（計数結果）を表示する表示部を有する変位検出測定機（測定器）と、この変位検出測定機から出力される測定データを入力するコンピュータ（外部機器）と、を備える。変位検出測定機とコンピュータとは有線または無線（接続手段）にて接続されている。
【０００３】
変位検出測定機の表示部は、例えば液晶表示装置である。液晶表示装置がバックライトを備えていない場合、周囲が暗い環境にて使用されると、使用者は、表示部に表示された測定データを読み取り難いという問題がある。また、周囲が暗い環境にて使用されると、変位検出測定機の状態が把握し難いため、使用者は、変位検出測定機の操作をし難いという問題がある。しかしながら、変位検出測定機と接続されるコンピュータは、予め変位検出測定機のモデル画像を記憶している。コンピュータは、変位検出測定機にて測定された測定データとモデル画像とを同期させることで、コンピュータのディスプレイにて変位検出測定機の状態をアニメーションとして表示することができる。これにより、使用者は、変位検出測定機の状態表示システムにて、目視確認し難い環境下にある変位検出測定機の表示部に表示された測定データや変位検出測定機の状態などを容易に確認することができる。
【先行技術文献】
【特許文献】
【０００４】
【特許文献１】特開２００５−２３３８０１号公報
【発明の概要】
【発明が解決しようとする課題】
【０００５】
しかしながら、このような変位検出測定機の状態表示システムでは、変位検出測定機で測定された測定データ等をコンピュータのディスプレイにて確認できる状態であり、変位検出測定機の表示部を視認できない状態であっても、表示部には測定データが表示され続けている。このため、表示部による表示は必要がないにもかかわらず、表示部のために電力が消費されるという問題がある。
【０００６】
本発明の目的は、測定器にて消費される電力を抑制し、省電力化を図ることができる測定器および測定システムを提供することである。
【課題を解決するための手段】
【０００７】
本発明の測定器は、接続手段を介して外部機器と接続される測定器であって、測定器を制御する制御手段を備え、制御手段は、計数動作を制御する通常制御部と、外部機器と接続されることで不要となった測定器の機能を停止させる省電力モードを有する省電力制御部と、所定の契機に基づき省電力モードを実行するか否かを判定する判定部と、を備え、省電力制御部は、判定部により省電力モードを実行すると判定された場合、省電力モードを実行することを特徴とする。
【０００８】
このような本発明によれば、測定器における制御手段は、外部機器と接続されることで不要となった測定器の機能を停止させる省電力モードを有する。そして、測定器は、所定の契機に基づき省電力モードを実行するか否かを判定する判定部を備えるため、判定部が省電力モードを実行すると判定した場合、省電力制御部は省電力モードを実行する。
【０００９】
ここで、外部機器と接続されることにより不要となった測定器の機能について説明する。例えば測定器は、通常、計数動作を連続的に実行している。しかし、測定器は、計数動作の必要がなく待機していてもよい場合がある。また、測定器は、測定器および外部機器のそれぞれが有する表示手段に対し、同じ計数結果を表示させることがある。これらの機能は、停止させても差支えない場合がある。省電力モードは、このような測定器が外部機器と接続されることで不要となった機能を停止させるモードである。
したがって、測定器は、外部機器と接続されることで不要となった機能を停止させることで、測定器にて消費される電力消費を抑制し、省電力化を図ることができる。
【００１０】
また、測定器は、外部機器や外部電源などからの電源供給ではなく、電池にて駆動している場合がある。この場合、測定器は、外部機器と接続されることにより不要となった測定器の機能を停止させるため、測定器における電力消費を抑制し、電池の長寿命化を図ることができる。
【００１１】
この際、外部機器は、計数結果の出力を要求する出力要求部を備え、通常制御部は、計数動作を実行する計数実行部と、出力要求部の要求に応じて外部機器へ計数結果を出力する計数出力部と、を備え、省電力制御部は、計数実行部を停止させる省電力モードであるスリープモードを実行するスリープ実行部を備え、スリープ実行部は、判定部によりスリープモードを実行すると判定された場合、スリープモードを実行するとともに、出力要求部から計数結果の出力の要求があった場合、スリープモードを解除して計数実行部に計数動作を実行させることが好ましい。
【００１２】
このような構成によれば、測定器は、計数結果の出力を要求する出力要求部を備える外部機器と接続されることで、出力要求部からの計数の出力要求があったときのみ、計数実行部にて計数を実行することができる。そして、出力要求部より計数結果の出力要求がないときは、計数実行部を停止させることができる。
【００１３】
このため、スリープ実行部は、判定部によりスリープモードを実行すると判定された場合、計数実行部を停止させるスリープモードを実行し、出力要求部から計数出力の要求があったとき、スリープモードを解除して計数実行部に計数を実行させるため、計数実行部を間欠的に動作させることができる。したがって、測定器は、連続的に計数実行部を動作させる場合と比較して測定器における電力消費を抑制することができる。
【００１４】
この際、測定器は、計数結果を表示する表示手段を備え、省電力制御部は、表示手段の表示を停止させる省電力モードである非表示モードを実行する非表示実行部を備え、非表示実行部は、判定部により非表示モードを実行すると判定された場合、非表示モードを実行することが好ましい。
【００１５】
このような構成によれば、省電力制御部は、表示手段の表示を停止させる非表示モードを実行する非表示実行部を備え、判定部の判定により非表示モードを実行する。したがって、測定器は、測定器の表示手段に常に何かを表示させている状態と比較して測定器における電力消費を抑制することができる。
【００１６】
この際、測定器および外部機器の少なくとも一方は、使用者からの入力を受け付ける入力部を備え、判定部は、入力部からの入力に基づいて省電力モードを実行するか否かを判定する入力判定部を備えることが好ましい。
【００１７】
このような構成によれば、入力判定部は、入力部からの入力に基づいて省電力モードを実行するか否かを判定するため、使用者の入力により省電力制御部に省電力モードを実行させることができる。したがって、測定器は、使用者による任意のタイミングにて省電力モードを実行させることができる。
【００１８】
この際、判定部は、外部機器における出力要求部からの出力要求に基づいて省電力モードを実行するか否かを判定する出力要求判定部を備えることが好ましい。
【００１９】
このような構成によれば、出力要求判定部は、外部機器における出力要求部からの出力要求に基づいて省電力モードを実行するか否かを判定するため、外部機器からの出力要求があったときに、自動的に省電力モードを省電力制御部に実行させることができる。
【００２０】
また、出力要求判定部は、出力要求部からの出力要求に基づいて省電力モードを実行するか否かを判定するため、測定器に新たに入力部等を設けることなく、例えば制御手段のプログラムを変更するだけで出力要求判定部を実装することができる。
【００２１】
この際、判定部は、測定器に外部機器が接続されたか否かを判定する接続判定部を備え、接続判定部は、測定器に外部機器が接続されたと判定した場合、省電力制御部に省電力モードを実行させることが好ましい。
【００２２】
このような構成によれば、接続判定部は、測定器に外部機器が接続されたと判定した場合、省電力制御部に省電力モードを実行させるため、測定器に外部機器が接続されたときに、自動的に省電力モードを省電力制御部に実行させることができる。
【００２３】
本発明の測定システムは、本発明の測定器と、測定器と接続される外部機器と、測定器と外部機器とを接続する接続手段と、を備えることを特徴とする。
【００２４】
このような本発明によれば、測定システムは、接続手段を介して外部機器と接続された本発明の測定器を備えることで、測定器と外部機器とが接続されることで不要となった機能を停止させ、測定器にて消費される電力消費を抑制し、省電力化を図ることができる。
【図面の簡単な説明】
【００２５】
【図１】第１実施形態に係る測定システムを示す図
【図２】前記測定システムを示すブロック図
【図３】前記測定システムにおける省電力モードへの切替方法を示すフローチャート
【図４】前記測定システムにおけるスリープモードを示すフローチャート
【図５】前記測定システムにおける非表示モードを示すフローチャート
【図６】第２実施形態に係る測定システムを示すブロック図
【図７】前記測定システムにおける省電力モードへの切替方法を示すフローチャート
【図８】第３実施形態に係る測定システムを示すブロック図
【図９】前記測定システムにおける省電力モードへの切替方法を示すフローチャート
【図１０】変形例に係る測定システムのブロック図
【発明を実施するための形態】
【００２６】
〔第１実施形態〕
以下、本発明の第１実施形態を図１から図５に基づいて説明する。
図１は、第１実施形態に係る測定システムを示す図である。
測定システム１は、図１に示すように、測定器２と、外部機器３と、接続手段４と、を備える。
【００２７】
測定器２は、図示しない計数対象を計数する計数部５と、計数結果を表示する表示手段である測定器表示部６と、を備えるダイヤルゲージである。測定器２は、電池を電源として駆動している。測定器２は、計数部５として円盤状の本体部５１と、本体部５１を上下方向に貫通するように設けられたスピンドル５２と、スピンドル５２の先端であり本体部５１とは反対側に設けられた測定子５３と、備える。
なお、測定器２は、電源を電池とせず、外部機器３や外部電源などを電源としてもよい。
【００２８】
測定器表示部６は、本体部５１の正面の略中央に設けられた液晶パネルである。測定器表示部６は、計数部５による計数結果Ｐを表示する。なお、測定器表示部６は、液晶パネルに限らず有機ＥＬ（Electro−Luminescence）や電子ペーパーなど、任意のものを用いてもよい。また、測定器表示部６は、計数結果Ｐに限らず、任意の情報を表示することができる。
【００２９】
外部機器３は、表示手段であり計数結果Ｐを表示する外部表示部７と、使用者からの入力を受け付ける入力部８と、を備える。外部機器３は、例えば測定器２からの計数結果を受け取り所定の処理をすることができる情報処理装置（コンピュータ）である。なお、外部機器３は接続手段４にて測定器２と接続されていればどのようなものでもよく、任意の装置を用いることが可能である。
【００３０】
外部表示部７は、測定器表示部６と同様に液晶パネルである。なお、外部表示部７は、液晶パネルに限らず有機ＥＬや電子ペーパーなど、任意のものを用いてもよい。また、外部表示部７は外部機器３と一体ではなく別体として設けられていてもよい。
入力部８は、押下されることで使用者からの入力を受け付けるボタンスイッチである。なお、入力部８は、ボタンスイッチではなく、スライド式やタッチパネル式、キーボード、マウス等でもよく、使用者からの入力を受け付けることができれば、どのようなものを採用してもよい。
【００３１】
接続手段４は、測定器２と外部機器３とを接続する通信ケーブルである。接続手段４は、繰り返して着脱が可能なコネクタを介して測定器２と外部機器３とを接続している。なお、接続手段４は、通信ケーブル（有線）を備えず、無線にて測定器２と外部機器３とを接続してもよい。また、接続手段４は、有線である場合、測定器２および外部機器３と着脱可能となっていなくてもよい。
接続手段４は、測定器２からの計数結果を外部機器３に通信したり、外部機器３からの入力を測定器２に通信したりする。なお、接続手段４は、計数結果以外の情報を通信してもよい。
【００３２】
図２は、前記測定システムを示すブロック図である。
図２に示すように、測定器２は、測定器２を制御する制御手段２０をさらに備える。
また、外部機器３は、計数結果の出力を要求する出力要求部３０をさらに備える。外部機器３は、計数結果が必要な際に、測定器２に対して出力要求部３０より計数結果の出力要求をして、測定器２より計数結果を取得する。
【００３３】
制御手段２０は、計数動作を制御する通常制御部２１と、測定器２の電力を調整する省電力モードを実行する省電力制御部２２と、省電力モードを実行するか否かを判定する判定部２３と、を備える。
通常制御部２１は、計数動作を実行する計数実行部２１１と、計数結果を出力する計数出力部２１２と、を備える。
計数実行部２１１は、出力要求部３０からの出力要求に応じて、計数部５（図１参照）を制御し計数対象の計数を実行する。計数出力部２１２は、計数実行部２１１による計数結果を測定器表示部６と外部機器３とに出力する。外部機器３は、計数出力部２１２から出力された計数結果を外部表示部７に表示する。なお、外部機器３は、計数出力部２１２から出力された計数結果を表示するだけでなく、計数結果を演算する等して別の用途に用いてもよい。
【００３４】
制御手段２０は、測定器２の電力を調整するとともに外部機器３と接続されることで不要となった測定器２の機能を停止させる省電力モードを有する。具体的には、省電力モードは、計数実行部２１１を停止させるスリープモードと、測定器２の表示手段である測定器表示部６の表示を停止させる非表示モードと、がある。
省電力制御部２２は、スリープモードを実行するスリープ実行部２２１と、非表示モードを実行する非表示実行部２２２と、を備える。
なお、以下の説明において、省電力モード（スリープモード，非表示モード）に移行しておらず、計数実行部２１１が連続的に計数動作を実行し、測定器表示部６に計数結果が表示されている状態を、通常モードとして説明することがある。
【００３５】
ここで、外部機器３の入力部８は、計数状態切替部８１と、表示ＯＮ／ＯＦＦ部８２と、を備える（図１参照）。そして、測定器２における制御手段２０の判定部２３は、入力判定部２３１を備える。入力判定部２３１は、計数状態切替部８１から入力があった場合、通常モードからスリープモードへとモードを移行させる。また、入力判定部２３１は、スリープモードに移行している状態において、計数状態切替部８１から入力があった場合、スリープモードを解除し、通常モードへとモードを移行させる。入力判定部２３１は、表示ＯＮ／ＯＦＦ部８２から入力があった場合、通常モードから非表示モードへとモードを移行させる。また、入力判定部２３１は、非表示モードに移行している状態において、表示ＯＮ／ＯＦＦ部８２から入力があった場合、非表示モードを解除し、通常モードへとモードを移行させる。
【００３６】
スリープ実行部２２１は、通常モードからスリープモードへと移行した状態において、出力要求部３０から計数結果の出力の要求があった場合、計数実行部２１１の停止（スリープ）を一旦解除して、計数実行部２１１に計数動作を実行させる。そして、計数出力部２１２より計数結果を出力した後、スリープ実行部２２１は、計数実行部２１１を再びスリープさせる。なお、以下の説明において、計数実行部２１１の停止をスリープとして説明することがある。
非表示実行部２２２は、通常モードから非表示モードへと移行した状態において、測定器表示部６の表示を停止させる。非表示実行部２２２は、入力判定部２３１により非表示モードが解除され、通常モードに移行された場合、測定器表示部６に計数結果を表示させる。
【００３７】
図３は、前記測定システムにおける省電力モードへの切替方法を示すフローチャートである。
以下、図３に基づいて測定システム１における省電力モードへの切替方法を説明する。
先ず、図３に示すように、判定部２３の入力判定部２３１は、外部機器３における入力部８からの入力があるか否かを判定する（ステップＳＴ０１）。
使用者により入力部８からの入力があった場合（ステップＳＴ０１でＹＥＳ）、入力判定部２３１は、制御手段２０のモードを通常モードから省電力モードへと移行させる（ステップＳＴ０２）。
【００３８】
この際、入力部８の計数状態切替部８１から入力があった場合（ステップＳＴ０１でＹＥＳ）、入力判定部２３１は、制御手段２０のモードを省電力モードであるスリープモードへと移行させる（ステップＳＴ０２）。また、入力部８の表示ＯＮ／ＯＦＦ部８２から入力があった場合（ステップＳＴ０１でＹＥＳ）、入力判定部２３１は、制御手段２０のモードを省電力モードである非表示モードへと移行させる（ステップＳＴ０２）。
なお、入力部８からの入力がない場合（ステップＳＴ０１でＮＯ）、入力判定部２３１は、入力部８から入力があるまで判定を実行する（ステップＳＴ０１）。
【００３９】
次に、省電力モードへと移行した状態において（ステップＳＴ０２）、入力判定部２３１は、入力部８からの入力があるか否かを判定する（ステップＳＴ０３）。
使用者により入力部８からの入力があった場合（ステップＳＴ０３でＹＥＳ）、入力判定部２３１は、制御手段２０の省電力モードを解除し通常モードへと移行させる（ステップＳＴ０４）。
【００４０】
この際、入力部８の計数状態切替部８１から入力があった場合（ステップＳＴ０３でＹＥＳ）、入力判定部２３１は、制御手段２０のスリープモードを解除し、通常モードへと移行させる（ステップＳＴ０４）。また、入力部８の表示ＯＮ／ＯＦＦ部８２から入力があった場合（ステップＳＴ０３でＹＥＳ）、入力判定部２３１は、制御手段２０の非表示モードを解除し、通常モードへと移行させる（ステップＳＴ０４）。
【００４１】
省電力モードへと移行した状態において（ステップＳＴ０２）、入力部８からの入力がない場合（ステップＳＴ０３でＮＯ）、入力判定部２３１は、入力部８から入力があるまで判定を実行する（ステップＳＴ０３）。
これにより、使用者は、入力部８からそれぞれのモードに対応した入力をすることで、使用者の任意のタイミングにて簡単に通常モードと省電力モードとを切替えることができる。
【００４２】
図４は、前記測定システムにおけるスリープモードを示すフローチャートである。
以下、図４に基づいて測定システム１におけるスリープモードについて説明する。
先ず、図３のステップＳＴ０２にて、制御手段２０のモードを通常モードから省電力モードであるスリープモードへと移行させる。
次に、図４に示すように、制御手段２０のモードがスリープモードへ移行すると、省電力制御部２２のスリープ実行部２２１は、通常制御部２１の計数実行部２１１の動作を停止させるスリープ実行工程を実行する（ステップＳＴ１１）。
【００４３】
続いて、スリープ実行部２２１は、外部機器３の出力要求部３０から計数結果の出力結果があるか否かを判定する出力要求判定工程を実行する（ステップＳＴ１２）。出力要求部３０から計数結果の出力要求があった場合（ステップＳＴ１２でＹＥＳ）、スリープ実行部２２１は、計数実行部２１１を動作させるためスリープを解除するスリープ解除工程を実行する（ステップＳＴ１３）。出力要求部３０から計数結果の出力要求がない場合（ステップＳＴ１２でＮＯ）、スリープ実行部２２１は、出力要求部３０から計数結果の出力要求があるまで計数実行部２１１の動作を停止させるスリープ実行工程を実行する（ステップＳＴ１１）。
【００４４】
計数実行部２１１は、スリープが解除されると、計数対象の計数をする計数工程を実行する（ステップＳＴ１４）。計数実行部２１１により計数工程が実行されると、計数出力部２１２は、測定器２の測定器表示部６と、外部機器３と、に計数結果を出力する出力工程を実行する（ステップＳＴ１５）。計数出力部２１２により計数結果が出力された後、スリープ実行部２２１は、計数実行部２１１の動作を停止させるスリープ実行工程を実行する（ステップＳＴ１１）。
【００４５】
スリープ実行部２２１は、図３のステップＳＴ０４にて、スリープモードが解除され通常モードへと移行するまで、ステップＳＴ１１からステップＳＴ１５を繰り返し実行する。これにより、計数実行部２１１は、出力要求部３０から計数結果の出力要求があるまで動作を停止することができるため、計数実行部２１１が常時動作しているときと比べて電力消費を抑制することができる。
【００４６】
図５は、前記測定システムにおける非表示モードを示すフローチャートである。
以下、図５に基づいて測定システム１における非表示モードについて説明する。
先ず、図５に示すように、図４の計数工程（ステップＳＴ１４）と同様の計数工程が計数実行部２１１により実行される（ステップＳＴ２１）。次に、省電力制御部２２の非表示実行部２２２は、入力部８の表示ＯＮ／ＯＦＦ部８２から入力があったか否か、すなわち、図３にてステップＳＴ０１が実行され、省電力モードである非表示モードに移行したか否かを判定する（ステップＳＴ２２）。
【００４７】
非表示実行部２２２は、非表示モードに移行したと判定した場合（ステップＳＴ２２でＹＥＳ）、測定器表示部６の表示を停止させる非表示工程を実行する（ステップＳＴ２３）。非表示実行部２２２は、非表示モードに移行していないと判定した場合（ステップＳＴ２２でＮＯ）、測定器表示部６を停止させずに計数結果を表示させる表示工程を実行する（ステップＳＴ２４）。
【００４８】
計数実行部２１１が計数工程を実行すると（ステップＳＴ２１）、計数出力部２１２は、測定器２の測定器表示部６と、外部機器３と、に計数結果を出力する出力工程を実行する（ステップＳＴ２５）。この際、測定器表示部６にて非表示工程が実行されている場合（ステップＳＴ２３）、計数結果は出力されても測定器表示部６は停止しているため計数結果は表示されない。測定器表示部６にて表示工程が実行されている場合（ステップＳＴ２４）、測定器表示部６は計数出力部２１２より出力された計数結果を表示する。
【００４９】
このような本実施形態によれば、以下の作用・効果を奏することができる。
（１）測定器２における制御手段２０は、外部機器３と接続されることで不要となった測定器２の機能を停止させる省電力モードであるスリープモードと非表示モードとを有する。そして、測定器２は、所定の契機に基づき省電力モードを実行するか否かを判定する判定部２３を備えるため、判定部２３が省電力モードを実行すると判定した場合、省電力制御部２２は省電力モードを実行する。したがって、測定器２は、外部機器３と接続されることで不要となった機能を停止させることで、測定器２にて消費される電力消費を抑制し、省電力化を図ることができる。
（２）電池にて駆動する測定器２は、外部機器３と接続されることにより不要となった測定器２の機能を停止させるため、測定器２における電力消費を抑制し、電池の長寿命化を図ることができる。
【００５０】
（３）測定器２は、測定器２に対し計数結果の出力を要求する出力要求部３０を備える外部機器３と接続されることで、出力要求部３０からの計数の出力要求があったときのみ、計数実行部２１１にて計数を実行することができる。このため、出力要求部３０より計数結果の出力要求がないときは、計数実行部２１１を停止させることができる。
（４）スリープ実行部２２１は、判定部２３によりスリープモードを実行すると判定された場合、計数実行部２１１を停止させるスリープモードを実行し、出力要求部３０から計数出力の要求があったとき、スリープモードを解除して計数実行部２１１に計数を実行させるため、計数実行部２１１を間欠的に動作させることができる。したがって、測定器２は、連続的に計数実行部２１１を動作させる場合と比較して測定器２における電力消費を抑制することができる。
【００５１】
（５）省電力制御部２２は、測定器表示部６を停止させる非表示モードを実行する非表示実行部２２２を備え、判定部２３の判定により非表示モードを実行するため、使用者が測定器２と外部機器３とが接続されていることにより、測定器２の測定器表示部６を視認しない場合、非表示にすることができる。したがって、測定器２は、測定器表示部６に常に何かを表示させている状態と比較して測定器表示部６における電力消費を抑制することができる。
【００５２】
（６）入力判定部２３１は、入力部８からの入力に基づいて省電力モードを実行するか否かを判定するため、使用者の入力により省電力制御部２２に省電力モードを実行させることができる。したがって、測定器２は、使用者による任意のタイミングにて省電力モードを実行させることができる。
【００５３】
〔第２実施形態〕
以下、本発明の第２実施形態を図６および図７に基づいて説明する。なお、以下の説明では、既に説明した部分については、同一符号を付してその説明を省略する。
【００５４】
図６は、第２実施形態に係る測定システムを示すブロック図である。
前記第１実施形態では、測定器２における制御手段２０の判定部２３は、入力部８からの入力の有無を判定する入力判定部２３１を備えていた。また、外部機器３は入力部８を備えていた。
本実施形態の測定システム１Ａでは、図６に示すように、測定器２Ａにおける制御手段２０Ａの判定部２３Ａは、外部機器３Ａの出力要求部３０からの出力要求の有無を判定する出力要求判定部２３１Ａを備える点で前記第１実施形態と異なる。また、外部機器３Ａは、入力部８を備えていない点で前記第１実施形態と異なる。
【００５５】
図７は、前記測定システムにおける省電力モードへの切替方法を示すフローチャートである。
以下、図７に基づいて測定システム１Ａにおける省電力モードへの切替方法を説明する。
先ず、図７に示すように、判定部２３Ａの出力要求判定部２３１Ａは、外部機器３Ａにおける出力要求部３０からの出力要求があるか否かを判定する（ステップＳＴ３１）。すなわち、出力要求判定部２３１Ａは、測定器２Ａを起動し、外部機器３Ａの出力要求部３０から初回の出力要求があるか否かを判定する（ステップＳＴ３１）。
【００５６】
出力要求部３０からの出力要求があった場合（ステップＳＴ３１でＹＥＳ）、出力要求判定部２３１Ａは、制御手段２０Ａのモードを通常モードから省電力モード（スリープモード，非表示モード）へと移行させる（ステップＳＴ３２）。
そして、省電力モードへと移行すると、測定器２Ａの制御手段２０Ａは、図４に示すスリープモードと、図５に示す非表示モードと、を実行する。
【００５７】
このような本実施形態においても、前記第１実施形態における（１）〜（５）と同様の作用、効果を奏することができる他、以下の作用、効果を奏することができる。
（７）出力要求判定部２３１Ａは、外部機器３における出力要求部３０からの出力要求に基づいて省電力モードを実行するか否かを判定するため、外部機器３からの出力要求があったときに、自動的に省電力モードを省電力制御部２２に実行させることができる。
（８）出力要求判定部２３１Ａは、出力要求部３０からの出力要求に基づいて省電力モードを実行するか否かを判定するため、測定器２Ａに新たに入力部８等を設けることなく、制御手段２０Ａのプログラムを変更するだけで出力要求判定部２３１Ａを実装することができる。
【００５８】
〔第３実施形態〕
以下、本発明の第３実施形態を図８および図９に基づいて説明する。なお、以下の説明では、既に説明した部分については、同一符号を付してその説明を省略する。
【００５９】
図８は、第３実施形態に係る測定システムを示すブロック図である。
前記第２実施形態では、測定器２Ａにおける制御手段２０Ａの判定部２３Ａは、外部機器３Ａの出力要求部３０からの出力要求の有無を判定する出力要求判定部２３１Ａを備えていた。
本実施形態の測定システム１Ｂでは、図８に示すように、測定器２Ｂにおける制御手段２０Ｂの判定部２３Ｂは、外部機器３Ａと接続手段４を介して接続されたか否かを判定する接続判定部２３１Ｂを備える点で前記第２実施形態と異なる。
【００６０】
図９は、前記測定システムにおける省電力モードへの切替方法を示すフローチャートである。
以下、図９に基づいて測定システム１Ｂにおける省電力モードへの切替方法を説明する。
先ず、図９に示すように、判定部２３Ｂの接続判定部２３１Ｂは、接続手段４を介して測定器２Ｂと外部機器３Ａとが接続されたか否かを判定する（ステップＳＴ４１）。
接続手段４を介して測定器２Ｂと外部機器３Ａとが接続されたと判定した場合（ステップＳＴ４１でＹＥＳ）、接続判定部２３１Ｂは、制御手段２０Ｂのモードを通常モードから省電力モードへと移行させる（ステップＳＴ４２）。
そして、省電力モードへと移行すると、測定器２Ｂは、図４に示すスリープモードと、図５に示す非表示モードと、を実行する。
【００６１】
次に、省電力モードへと移行した状態において（ステップＳＴ４２）、接続判定部２３１Ｂは、接続手段４を介して測定器２Ｂと外部機器３Ａとが接続されているか否かを判定する（ステップＳＴ４３）。
接続手段４を介して測定器２Ｂと外部機器３Ａとが接続されていない場合（ステップＳＴ４３でＮＯ）、接続判定部２３１Ｂは、制御手段２０Ｂの省電力モードを解除し通常モードへと移行させる（ステップＳＴ４４）。
【００６２】
省電力モードへと移行した状態において（ステップＳＴ４２）、接続手段４を介して測定器２Ｂと外部機器３Ａとが接続されている場合（ステップＳＴ４３でＹＥＳ）、接続判定部２３１Ｂは、測定器２Ｂと外部機器３Ａとの接続が解除されるまで測定器２Ｂと外部機器３Ａとの接続状態の判定を実行する（ステップＳＴ４３）。
【００６３】
このような本実施形態においても、前記第１実施形態における（１）〜（５）と同様の作用、効果を奏することができる他、以下の作用、効果を奏することができる。
（９）接続判定部２３１Ｂは、測定器２に外部機器３が接続されたと判定した場合、省電力制御部２２に省電力モードを実行させるため、測定器２に外部機器３が接続されたときに、自動的に省電力モードを省電力制御部２２に実行させることができる。
【００６４】
〔実施形態の変形〕
なお、本発明は、前記各実施形態に限定されるものではなく、本発明の目的を達成できる範囲での変形、改良等は本発明に含まれるものである。
例えば、前記各実施形態では、測定器１，１Ａ〜１Ｂはダイヤルゲージである場合を説明したが、測定器はダイヤルゲージではなく、接続手段を介して外部機器と接続されるとともに計数対象を計数することができる測定器であれば、どのようなものを採用してもよい。要するに、測定器は、測定器の形式や計数方式等は特に限定されるものではない。
【００６５】
前記第１実施形態では、入力部８は外部機器３が備えていたが、測定器２が備えていてもよいし、測定器２と外部機器３との双方が入力部８を備えていてもよい。要するに、測定器および外部機器の少なくとも一方は、使用者からの入力を受け付ける入力部を備えていればよい。
【００６６】
図１０は、変形例に係る測定システムのブロック図である。
前記各実施形態において、判定部２３，２３Ａ〜２３Ｂは、第１実施形態では入力判定部２３１を備え、第２実施形態では出力要求判定部２３１Ａを備え、第３実施形態では接続判定部２３１Ｂを備えていた。本変形例の測定システム１Ｃでは、測定器２Ｃにおける制御手段２０Ｃの判定部２３Ｃは、入力判定部２３１と、出力要求判定部２３１Ａと、接続判定部２３１Ｂと、を備えている点で前記各実施形態と異なる。この場合、判定部２３Ｃは、どのように判定を組み合わせて省電力モードを実行するか否かを判定してもよい。
【００６７】
例えば、判定部２３Ｃは、接続手段４を介して測定器２Ｃと外部機器３とが接続されたか否かを接続判定部２３１Ｂにて判定し、接続されたと判定された場合、通常モードから省電力モードへと移行させる。そして、省電力モードへと移行されている状態において、使用者は外部機器３の入力部８から入力し、省電力モードを解除し通常モードへと移行させてもよい。
【００６８】
前記各実施形態において、判定部２３，２３Ａ〜２３Ｃは、第１実施形態では入力判定部２３１を備え、第２実施形態では出力要求判定部２３１Ａを備え、第３実施形態では接続判定部２３１Ｂを備え、前述の変形例では、入力判定部２３１と、出力要求判定部２３１Ａと、接続判定部２３１Ｂと、を備えていたが、判定部は、これらの判定部を備えていなくてもよい。また、これらの判定部以外の判定部を備えていてもよい。要するに、判定部は、所定の契機に基づき省電力モードを実行するか否かを判定することができればよい。
【００６９】
前記各実施形態において、省電力モードであるスリープモードおよび非表示モードは、両方ともに実行されていたが、どちらか一方の省電力モードだけが実行されてもよい。
また、前記各実施形態において、制御手段２０，２０Ａ〜２０Ｃは、省電力モードとしてスリープモードと非表示モードとを有していたが、制御手段はスリープモードと非表示モードとを有していなくてもよい。また、計数実行部２１１や測定器表示部６以外を停止させる省電力モードを有していてもよい。要するに、制御手段は、外部機器と接続されることで不要となった測定器の機能を停止させる省電力モードを有していればよい。
【００７０】
前記各実施形態において、外部機器３は出力要求部３０を備え、通常制御部２１は出力要求部３０からの出力要求に応じて計数結果を外部機器３に出力していたが、外部機器は出力要求部を備えていなくてもよい。この場合、通常制御部は、計数する都度、外部機器に計数結果を出力すればよい。
【産業上の利用可能性】
【００７１】
以上のように、本発明は、測定器および測定システムに好適に利用できる。
【符号の説明】
【００７２】
１，１Ａ〜１Ｃ          測定システム
２                      測定器
３                      外部機器
４                      接続手段
８                      入力部
２０，２０Ａ〜２０Ｃ    制御手段
２１                    通常制御部
２２                    省電力制御部
２３，２３Ａ〜２３Ｃ    判定部
３０                    出力要求部
２１１                  計数実行部
２１２                  計数出力部
２２１                  スリープ実行部
２２２                  非表示実行部
２３１                  入力判定部
２３１Ａ                出力要求判定部
２３１Ｂ                接続判定部
【図１】
2019168361.tif 000003
【図２】
2019168361.tif 000004
【図３】
2019168361.tif 000005
【図４】
2019168361.tif 000006
【図５】
2019168361.tif 000007
【図６】
2019168361.tif 000008
【図７】
2019168361.tif 000009
【図８】
2019168361.tif 000010
【図９】
2019168361.tif 000011
【図１０】
2019168361.tif 000012